(57)【要約】【課題】安定した固定位置決定および確実な電極接触効果を備えるメモリーカード接続スロットを提供する。【解決手段】ベースボディ１０は、内部にカードガイド溝１１および可動ベースガイド溝１２が形成され、カードガイド溝１２はメモリーカード２０に対応し、導電部品１３が設けられている。可動ベース３０は、可動ベースガイド溝１２内に設置され、ベースボディ１０との間に弾性部品３１を有し、カードガイド溝１１の押し部品３２の部分で突出し、メモリーカード２０の位置決め凹溝２２に対してひっかけ棒３３が設けられ、その上側表面には押し戻しガイド溝３４が形成されている。蓋ボディ４０は、ベースボディ１０の上部に組み合わされ、押し戻しガイド棒３５に相対する抑えばね部品４１が形成され、ひっかけ棒３３に相対する頂部押し部品４２が形成されている。【選択図】図２
0003121231.tif 000002
【実用新案登録請求の範囲】
【請求項１】
ベースボディは、内部にカードガイド溝および可動ベースガイド溝が形成されていて、前記カードガイド溝はメモリーカードに対応し、導電部品が設けられ、
可動ベースは、前記ベースボディの可動ベースガイド溝内に設置されていて、前記ベースボディとの間に弾性部品を有し、その内側にメモリーカードの突起が対応し、カードガイド溝の押し部品の部分で突出し、もう一方のメモリーカードの位置決め凹溝に対しては外に向かって張り出したひっかけ棒が設けられ、その上側表面には押し戻しガイド溝が形成され、押し戻しガイド棒の一端は前記押し戻しガイド溝に嵌め込まれ、前記押し戻しガイド棒のもう一方の端は前記ベースボディに固定され、
蓋ボディは、前記ベースボディの上部に組み合わされ、前記押し戻しガイド棒に相対して抑えばね部品を形成しており、前記ひっかけ棒に相対して下に向かって折れ曲がった頂部押し部品を形成していることを特徴とするメモリーカード接続スロット。
【考案の詳細な説明】
【技術分野】
【０００１】
本考案は、一種のメモリーカード接続スロットと関連があり、特に、一種の押し込み方式によりメモリーカードの挿入および取り出しを行い、且つ挿入状態のメモリーカードをロックできる設計がされたものを指す。
【背景技術】
【０００２】
メモリーカードの設計体積はより小さく精巧になっているため、固定のために使用できる面積は非常に限られており、引き出し方式で設計された接続スロットに対しては操作上で不都合があり、接続スロットのカード挿入およびカード取り出し方式の設計は押し込み式（Push-Push Type）採用の動きが広まっている。ただし、一般的な押し込み式によるカード挿入およびカード取り出し方式では、挿入状態のメモリーカードをロックすることができず、メモリーカードが傾き、電極接触不全をもたらしている。
【考案の開示】
【考案が解決しようとする課題】
【０００３】
本考案の主要な目的は、従来の挿入状態のメモリーカードがロックできない問題を解決し、安定した固定位置決めおよび確実な電極接触効果を備えることにある。
【課題を解決するための手段】
【０００４】
前述の効果を達成するため、本考案の構造特徴は、以下のものを含んでいる。
ベースボディは、内部にカードガイド溝および可動ベースガイド溝が形成されていて、該カードガイド溝はメモリーカードに対応し、導電部品が設けられている。
可動ベースは、該ベースボディの可動ベースガイド溝内に設置されていて、該ベースボディとの間に弾性部品を有し、その内側にはメモリーカードの突起が相対し、カードガイド溝の押し部品の部分で突出している。もう一方のメモリーカードの位置決め凹溝に対しては、外に向かって張り出したひっかけ棒が設けられ、その上側表面には押し戻しガイド溝が形成されていて、ならびに押し戻しガイド棒の一端は該押し戻しガイド溝に嵌め込まれていて、該押し戻しガイド棒のもう一方の端は該ベースボディに固定されている。
蓋ボディは、該ベースボディの上部に組み合わされ、ならびに該押し戻しガイド棒に相対して抑えばね部品を形成しており、且つ該ひっかけ棒に相対して下に向かって折れ曲がった頂部押し部品を形成している。
【考案を実施するための最良の形態】
【０００５】
まず、図１から図３を参照する。本考案の一実施例によるメモリーカード接続スロットは、以下のものを含む。
ベースボディ１０は、内部にカードガイド溝１１および可動ベースガイド溝１２が形成されていて、該カードガイド溝１１はメモリーカード２０の接続導電部に対応し、導電部品１３が設けられている。
【０００６】
可動ベース３０は、該ベースボディ１０の可動ベースガイド溝１２内に設置されていて、該ベースボディ１０との間に弾性部品３１を有し、可動ベース３０を初期の位置に戻す弾力を提供する（図示では、圧縮ばねとなっているが、反発ばねあるいはその他の同等の効力を持つものでもよく、実施状態は装着位置に従う）。その内側にはメモリーカード２０の突起２１が相対し、カードガイド溝１１の押し部品３２の部分で突出している。もう一方のメモリーカード２０の位置決め凹溝２２に対しては、外に向かって張り出したひっかけ棒３３が設けられ、その上側表面には押し戻しガイド溝３４が形成されていて、ならびに押し戻しガイド棒３５の一端は該押し戻しガイド溝３４に嵌め込まれていて、該押し戻しガイド棒３５のもう一方の端は該ベースボディ１０に固定されている。
【０００７】
蓋ボディ４０は、該ベースボディ１０の上部に組み合わされ、ならびに該押し戻しガイド棒３５に相対して抑えばね部品４１を形成しており、且つ該ひっかけ棒３３に相対して下に向かって折れ曲がった実施例の作動状態は図４と図５を参照して説明とし、メモリーカード２０をベースボディ１０のカードガイド溝１１に挿入する際、突起２１は可動ベース３０の押し部品３２を押し込み、可動ベース３０を可動ベースガイド溝１２に沿って内部に押し、該押し戻しガイド棒３５が嵌め込まれた端は押し戻しガイド溝３４に沿って単一方向に下向きに進行し、図６及び図７に示すように、カード挿入状態となる。同時に、該ひっかけ棒３３は該蓋ボディ４０の頂部押し部品４２により押さえられ、メモリーカード２０の位置決め凹溝２２に引っ掛かり、メモリーカード２０がロックされる。このほか、カード取り出し動作の状態は、メモリーカード２０を再度押し込み、該押し戻しガイド棒３５が嵌め込まれた端を押し戻しガイド溝３４に沿って単一方向に上向きに進行させ、開始位置に戻り、且つ該ひっかけ棒３３は外側に張った状態に回復し、メモリーカード２０のロック状態を解除する。
【０００８】
これにより、本実施例は、カード挿入過程において、可動ベース３０のひっかけ棒３３が該蓋ボディ４０の頂部押し部品４２により押さえられ、メモリーカード２０の位置決め凹溝２２に引っ掛かり、メモリーカード２０がロックされることとなり、安定した固定位置決めおよび確実な電極接触効果を備えるに至る。
【０００９】
上述したところを総合し、本考案の掲げる構造は従来全く見られなかったものであり、且つ確実に期待される効果を得ることができ、ならびに産業利用性を備え、新型実用新案要件に完全に符合しており、貴審査委員に特許審査を賜り、新規創造とみなされれば栄誉に耐えません。
但し、上述に掲示した図式及び説明は、本考案の比較的優れた実施例に限られており、本項に造詣の深い大多数の技術者の方々ならば、本案精神の範疇における修飾あるいは同等の変化については、本考案申請範囲内に含まれると解釈されたい。
【図面の簡単な説明】
【００１０】
【図１】本考案の一実施例によるメモリーカード接続スロットを示す斜視図である。
【図２】本考案の一実施例によるメモリーカード接続スロットを示す分解斜視図である。
【図３】本考案の一実施例によるメモリーカード接続スロットを示す上面図である。
【図４】本考案の一実施例によるメモリーカード接続スロットのロックされていない状態を示す正面図である。
【図５】本考案の一実施例によるメモリーカード接続スロットのロックされていない状態を示す背面図である。
【図６】本考案の一実施例によるメモリーカード接続スロットのロックされている状態を示す正面図である。
【図７】本考案の一実施例によるメモリーカード接続スロットのロックされている状態を示す背面図である。
【符号の説明】
【００１１】
１０  ベースボディ、１１  カードガイド溝、１２  可動ベースガイド溝、１３  導電部品、２０  メモリーカード、２１  突起、２２  位置決め凹溝、３０  可動ベース、３１  弾性部品、３２  押し部品、３３  ひっかけ棒、３４  押し戻しガイド溝、３５  押し戻しガイド棒、４０  蓋ボディ、４１  抑えばね部品、４２  頂部押し部品
【図１】
0003121231.tif 000003
【図２】
0003121231.tif 000004
【図３】
0003121231.tif 000005
【図４】
0003121231.tif 000006
【図５】
0003121231.tif 000007
【図６】
0003121231.tif 000008
【図７】
0003121231.tif 000009